(57)【要約】【課題】  吊下げた物体の不測の脱落がないうえに、物体を外すことの困難性を緩和できるような吊下げ金具の提供。【解決手段】  下端部に吊下げ用のフック部４４を有し、該フック部４４より上方位置に、上下方向で分離・結合される分割部１３ａを有するとともに、該分割部１３ａを構成する上部材１７および下部材１９で囲まれた空間内に、上部材１７および下部材１９と協働して吊下げられた紐状体１２上での位置を固定する位置固定用部材１７，１８を備えた吊下げ金具１１であって、上記分割部１３ａ間に挟持される被挟持部５２を設けるとともに、該被挟持部５２に、上記フック部４４に向けて下方に延びてフック部４４の懐部を閉じる方向に付勢された規制部５４を延設した吊下げ金具１１。【選択図】    図１
2006218160.tif 000002
【特許請求の範囲】
【請求項１】
下端部に吊下げ用のフック部を有し、該フック部より上方位置に、上下方向で分離・結合される分割部を有した吊下げ金具であって、
上記分割部間に挟持される被挟持部を設けるとともに、
該被挟持部に、上記フック部に向けて下方に延びてフック部の懐部を閉じる方向に付勢された規制部を延設した
吊下げ金具。
【請求項２】
下端部に吊下げ用のフック部を有し、該フック部より上方位置に、上下方向で分離・結合される分割部を有するとともに、該分割部を構成する上部材および下部材で囲まれた空間内に、上部材および下部材と協働して吊下げられた紐状体上での位置を固定する位置固定用部材を備えた吊下げ金具であって、
上記分割部間に挟持される被挟持部を設けるとともに、
該被挟持部に、上記フック部に向けて下方に延びてフック部の懐部を閉じる方向に付勢された規制部を延設した
吊下げ金具。
【請求項３】
前記規制部に、下に向けて延びる垂下部を形成するとともに、該垂下部の後方に、前記フック部を非接触にする間隙部を形成した
請求項１または請求項２に記載の吊下げ金具。
【請求項４】
前記規制部の幅を、フック部の幅と同一またはそれよりも狭く設定した
請求項１から請求項３のうちのいずれか一項に記載の吊下げ金具。
【請求項５】
前記被挟持部に、分割部間で挟持されたときに反挟持方向に付勢する付勢手段を備えた
請求項１から請求項４のうちのいずれか一項に記載の吊下げ金具。
【発明の詳細な説明】
【技術分野】
【０００１】
この発明は、たとえば額縁やパネルなどの各種の物体を吊下げるための吊下げ金具に関する。より詳しくは、吊下げた物体が不測に脱落するようなことを防止できるような吊下げ金具に関する。
【背景技術】
【０００２】
吊下げ金具には様々な種類のものがあるが、その中のひとつに、吊下げられた紐状体上の任意位置で位置固定して、一体に有するフック部に物体を引っ掛けようとするものがある（たとえば、特許文献１参照）。
【０００３】
特許文献１に開示された額縁吊り具は、筒状本体と、該筒状本体の下端近傍の側面に固定されたフックとを備えたもので、フックの懐部は開放された形状である。
【０００４】
このため、大きな地震が発生した時などに、物体がフックから外れて落下してしまうおそれがあった。
【０００５】
このような問題を解消するため、吊下げ金具では一般に、たとえば特許文献２に開示されている如く、フック部の懐部上方（開放部）を閉じる開放部開閉手段を設けることが知られている。
【０００６】
しかし、特許文献２に開示された開放部開閉手段は、フック部の上部にカシメ固定されるものである。
【０００７】
このような開放部開閉手段を、上記特許文献１に開示されたような額縁吊り具に適用すると、フック部の前面に開放部開閉部材が取付けられることになる。つまり、たとえばフック部１０１が図８に示したような形状である場合には、フック部１０１の上部、すなわち前方にせり出した部分１０２に開放部開閉手段１０３を固定することが考えられる。
【０００８】
しかし、このようにして開放部開閉手段１０３が固定された構造の吊下げ金具１０４では、開放部開閉手段１０３がカシメ１０５によって固定されているので、付勢力に抗して開放部開閉手段１０３を押圧しようとすると、白抜き矢印で示したように、カシメ１０５位置よりも下のフック部１０１の先端に近い部分を押圧しなければならず、吊下げ金具１０４が小さい場合には細かい作業が必要となる。このため、一度吊下げた物体を取り外そうとする場合に、面倒である。しかも、その押圧は、カシメ１０５位置に近い部位に対して行わなければならないが、カシメ１０５位置はいわば変形のための支点であるので、大きな力が必要となる。
【０００９】
そのうえ、カシメ１０５部分が露出するので、外観上の美感を損なうとともに、また物体を引っ掛ける作業の時に、物体がカシメ１０５部分に引っかかってしまうこともあった。
【００１０】
【特許文献１】登録実用新案第３０４５３０７号公報
【特許文献２】登録実用新案第３０７６０８１号公報
【発明の開示】
【発明が解決しようとする課題】
【００１１】
そこでこの発明は、吊下げた物体の不測の脱落がないうえに、物体を外すことの困難性を緩和できるような吊下げ金具の提供を主たる課題とする。
【課題を解決するための手段】
【００１２】
そのための手段は、下端部に吊下げ用のフック部を有し、該フック部より上方位置に、上下方向で分離・結合される分割部を有した吊下げ金具であって、上記分割部間に挟持される被挟持部を設けるとともに、該被挟持部に、上記フック部に向けて下方に延びてフック部の懐部を閉じる方向に付勢された規制部を延設した吊下げ金具であることを特徴とする。
【００１３】
別の手段は、下端部に吊下げ用のフック部を有し、該フック部より上方位置に、上下方向で分離・結合される分割部を有するとともに、該分割部を構成する上部材および下部材で囲まれた空間内に、上部材および下部材と協働して吊下げられた紐状体上での位置を固定する位置固定用部材を備えた吊下げ金具であって、上記分割部間に挟持される被挟持部を設けるとともに、該被挟持部に、上記フック部に向けて下方に延びてフック部の懐部を閉じる方向に付勢された規制部を延設した吊下げ金具であることを特徴とする。
【００１４】
すなわち、吊下げ金具では、フック部に物体を引っ掛ける場合には、物体を上から降ろすだけでよく、物体がフック部に引っかかると、分割部からフック部に向け下方に延びてフック部の懐部を閉じる方向に付勢された規制部が、物体が上方へ移動してフック部から外れることを防止する。
【００１５】
また、物体を取り外すときには、規制部をその付勢力に抗して後方に押し下げて懐部を開放すればよい。規制部はフック部より上方に位置する分割部から延びているので、規制部の変形のための支点としての分割部から離れた部位を押圧して変形させることができるので、小さな力で取り外し作業ができる。
【００１６】
しかも、規制部を有する被挟持部は、フック部より上方に位置するので、規制部をフック部に重なるように設けることができるとともに、固定用のカシメ等が存在することもないので、余分なものが現れない美麗な外観を得られる。また、カシメ等が必要でなく、上記規制部はフック部の懐部を閉じる方向に付勢されているので、物体を上から引っ掛けるだけの動作で、より簡単に、しかも確実に吊下げることができる。
【００１７】
なお、上記のように分割部を構成する上部材および下部材で囲まれた空間内に、上部材および下部材と協働して吊下げられた紐状体上での位置を固定する位置固定用部材を備えた場合には、紐状体上での位置を任意位置に固定できる至便な吊下げ金具になるとともに、吊下げ金具を、上部材、下部材および位置固定用部材の必要最小限の部材で構成できる。
【００１８】
ここで、上記各構成要素については、次のように構成することができる。  
上記規制部には、下に向けて延びる垂下部を形成するとともに、該垂下部の後方に、上記フック部を非接触にする間隙部を形成するとよい。間隙部の存在により、垂下部を後方に押せばフック部の懐部を開放することが出来る。つまり、規制部を付勢力に抗して後退させる時に、フック部の懐部深くない位置、換言すればフック部の上部がわの位置で押圧しても付勢力に抗して後退させることが可能で、物体を取り外す時に細かな作業を不要にして、作業の容易化を図ることができる。
【００１９】
上記規制部の幅は、フック部の幅と同一またはそれよりも狭く設定するとよい。規制部が、フック部よりも横に出ることを防止して、フック部の形態が有する美感を守ることによって、美麗な外観になる上記の作用を高めることができる。
【００２０】
上記被挟持部には、分割部間で挟持されたときに反挟持方向に付勢する付勢手段を備えるとよい。付勢手段としては、スプリングワッシャ、歯付き座金、波型座金、皿ばね等の構造を採用できる。この付勢部材が、分割部間にねじが形成されている吊下げ金具においては、分割部間での不測の脱落を防止する。すなわち、被挟持部を分割部間で挟んで固定する時に、被挟持部の付勢手段が分割部間を離間する方向に付勢するので、度重なる振動によっても緩みにくい強固な固定状態が得られる。また、上述のように分割部間にねじが形成されている吊下げ金具においては勿論のこと、そうでない場合においても、締め付けが完全に行われたか否かの確認が容易にできる利点を有する。
【００２１】
しかも、上記のように分割部を構成する上部材および下部材で囲まれた空間内に、上部材および下部材と協働して吊下げられた紐状体上での位置を固定する位置固定用部材を備えた場合で、上部材と下部材がねじで結合された場合には、上部材と下部材のねじが外れてしまえば吊下げ金具が分解してしまうことになるが、付勢手段により緩み止めが行えるので、より簡素な構成の吊下げ金具でありながらも、分解という不測の事態が起こらない、より完全な状態の吊下げ金具となる。
【発明の効果】
【００２２】
以上のように、この発明によれば、上下方向で分離・結合される分割部間に挟持される被挟持部を設け、この被挟持部に規制部を延設したので、付勢力に抗して規制部を押圧する場合に、固定されている被挟持部から離れた位置を押圧することができ、従来のように細かい作業にはならず、また小さい力で押圧できるので、容易に押圧することが可能で、取り外し作業の困難性を緩和することができる。
【００２３】
また、規制部は被挟持部を分割部に挟持固定すれば取付けられるので、カシメ等の別の固定手段は不要であり、取付け作業は簡単である。そして、規制部は被挟持部から延設されており、別の固定手段が露出することはないので、外観上美感を損なうこともない。さらに、カシメ等を要しないので、フック部に対して物体を引っ掛ける作業の時に、カシメ部分が物体に引っかかってしまい、適正な吊下げ作業を阻害するような難点も解消できる。
【発明を実施するための最良の形態】
【００２４】
この発明を実施するための一形態を、以下図面を用いて説明する。  
図１は、吊下げ金具１１の斜視図であり、この図に示したように、吊下げ金具１１は、吊下げられた紐状体１２の長さ方向における任意位置で位置固定して使用されるもので、上記位置固定のための位置固定機構を備えた本体部１３と、該本体部１３に固定されるフック部材１４と、該フック部材１４に引っ掛けた物体の脱落を防止する規制部材１５とを有する。
【００２５】
本体部材１３は、図２に示したように、筒状部材１６と、該筒状部材１６内に上下動可能に下から収納される上下動部材１７と、該上下動部材１７を上方に向けて付勢するコイルばね１８と、上記筒状部材１６の下端に螺合により分離・結合可能に取付けられる下端蓋部材１９とからなる。
【００２６】
そして、上記筒状部材１６と下端蓋部材１７の対向部、すなわち分離・結合が行われる分割部１３ａ間には、上記フック部材１４が挟持固定されるとともに、該フック部材１４の上に重ねるようにして、上記規制部材１５が挟持固定される。
【００２７】
上記筒状部材１６は、図３に示したように、上端に小径の開口部２１を有し、該開口部２１より下には、逆テーパ状の円錐面２２を形成し、該円錐面２２より下に、大径空間部２３を形成している。該大径空間部２３の内周面には、上記螺合用の雌ねじ２４を形成している。
【００２８】
上下動部材１７、上記紐状体１２を挿通するため上下方向に貫通する貫通孔２６を有したピン状の形態を有し、長さ方向の中間部に、上記円錐面２２と同様に逆テーパ状をなす傘状部２７を形成している。該傘状部２７内には紐状体１２を締め付けるための３個のボール２８を移動可能に備えるとともに、傘状部２７の下端には、上記コイルばね１８の上端を受ける段部２９を形成している。
【００２９】
上記下端蓋部材１９は、下端に鍔状の大径部３１を有し、その上面から、上記筒状部材１６の雌ねじ２４に螺合する雄ねじ３２を有した筒状の雄ねじ形成部３３を立設している。この雄ねじ形成部３３は、平面視円形ではなく、回り止め用の２つの平らな規制面３４を有した小判型に形成している。また、大径部３１の中心には、貫通孔３５を形成している。
【００３０】
上記フック部材１４は、下端蓋部材１９の雄ねじ形成部３３に挿嵌可能な環状で、上記規制面３４に対応する直線部４１を有した環状部４２と、該環状部４２から前方に向けて形成された逆Ｌ字状の連設部４３と、該連設部４３の下端から後方に湾曲しながら前方斜め上に向けて延びるフック部４４とを有する。これら連設部４３とフック部４４は、同一幅に形成される。また、フック部４４の後端位置は、図４（ｂ）に示したように、紐状体１２に取付けた時に紐状体１２に対して近接する位置に設定している。つまり、図４（ｄ）に示したように貫通孔３５に近づけている。
【００３１】
上記規制部材１５は、フック部材１４よりも薄く可撓性を有する金属板で構成し、フック部材１４の環状部４２と同様に、下端蓋部材１９の雄ねじ形成部３３に挿嵌可能な環状で、上記規制面３４に対応する直線部５１を有した環状部５２を設け、該環状部５２には、水平方向前方に延びる延設部５３を形成するとともに、図１、図３、図４に示したように、フック部材１４のフック部４４の先端方向に向けて延びてフック部４４の懐部を閉じる方向に付勢された規制部５４を形成している。この規制部５４と延設部５３の間は、円弧状に湾曲して湾曲部５５を設け、規制部５４における湾曲部５５のすぐ下の垂下部５４ａの後方に、すなわち垂下部５４ａと上記フック部材１４の連設部４３との間に、間隙部５６を形成している。間隙部５６の間隔Ｄは、規制部５４の垂下部５４ａを後方に向けて押圧したときに、規制部５４を変形できる間隔Ｄであればよい。
【００３２】
また、規制部材１５の延設部５３と湾曲部５５と規制部５４は、図４（ｃ）に示したように、フック部材１４の幅Ｗ1よりも若干幅狭（Ｗ2）に設定している。このため、図４（ａ），（ｃ），（ｄ）に示したように、規制部５４等が連設部４３やフック部４４からはみ出すことはなく、フック部材１４の中に、その形態が表現する美感を損なうことなく整然と収まった外観になる。
【００３３】
このように構成された吊下げ金具１１は、紐状体１２に対して固定して使用される。紐状体１２に対する固定は、本体部材１３の上下動部材１７を押下しながら紐状体１２を上から差し込み、所望位置で上下動部材１７の押下状態を解けばよく簡単である。
【００３４】
そして、物体を吊下げる時には、物体をフック部材１４のフック部４４に引っ掛けるように上から降ろせばよい。付勢された規制部５４は、物体に押されながら後退して物体の引っ掛けを許容し、物体が通過したのちに弾性復帰してフック部４４の懐部を閉じ、この状態を維持する。  
このため、地震等が発生しても、物体が落下してしまうことを防止できる。
【００３５】
また、一度吊下げた物体を模様替え等のために取り外す場合には、図５に白抜き矢印で示したように、規制部材１５における規制部５４の垂下部５４ａを後方に向けて指で押圧すれば、規制部５４は、仮想線で示したように大きく変形する。垂下部５４ａは、フック部４４から離れた位置に位置するので、吊下げ金具１１が小さいものの場合でも、細かな作業にはならない。このため、容易に作業が行える。しかも、その押圧動作は、垂下部５４ａの後方に位置する間隙部５６と、垂下部５４ａの基部がわに位置する湾曲部５５の存在によって、小さい力で円滑に行える。
【００３６】
また、規制部材１５の上端部には湾曲部５５を形成し、下方に向けて延びる規制部５４を連設しており、突出部分が存在しないので、物体を引っ掛ける場合に、円滑に引っ掛け動作ができる。
【００３７】
この発明を実施するためのその他の形態例を次に説明する。なお、上記構成と同一または同等の構成部分については、先の説明の場合と同一の符号を付してその詳しい説明を省略する。
【００３８】
図６の吊下げ金具１１は、フック部材１４のフック部４４をニ分割して形成した例であり、このような場合には、規制部材１５の規制部５４も、フック部４４の形状に対応させてその先端部を２分割するとよい。
【００３９】
図７は、規制部材１５の環状部５２に、分割部１３ａ間で挟持されたときに反挟持方向に付勢する付勢手段を設けた例を示している。すなわち、図７（ａ）では、環状部の内周縁に、付勢手段として２つの板ばね部６１を切り起こして形成している。各板ばね部６１は、筒状部材１６の螺合方向を考慮して、螺合方向に向けて反りあがるように形成している。図７（ｂ）は、内側に突出する複数の歯部６２を形成しており、これらの歯部６２を斜め下に向けて屈曲している。
【００４０】
これらのようにして付勢手段を設けると、この付勢部材が、環状部５２を挟んで固定する時に、環状部５２の付勢手段が分割部１３ａ間を離間する方向に付勢するので、度重なる振動によっても緩みにくい強固な固定状態が得られる。また、付勢部材の存在により、しっかりと締め付けを行わないと環状部５４が浮いた状態になるので、締め付けが完全に行われているか否かの確認が容易にできる利点も有する。
【００４１】
しかも、本体部１３は、筒状部材１６と上下動部材１７とコイルばね１８と下端蓋部材１９との必要最小限の部材で簡素に構成しているため、分割部１３ａで分離してしまえば吊下げ金具１１が分解してしまうことになるが、付勢手段により緩み止めが行えるので、より簡素な構成の吊下げ金具１１でありながらも、分解という不測の事態が起こらない、より完全な状態の吊下げ金具１１となる。
【００４２】
この発明の構成と、上記一形態の構成との対応において、  
この発明の被挟持部は、上記一形態の環状部５２に対応し、  
以下同様に、  
上部材は、筒状部材１６に対応し、  
下部材は、下端蓋部材１９に対応し、  
付勢手段は、板ばね部６１および歯部６２に対応し、
位置固定用部材は、上下動部材１７およびコイルばね１８に対応するも、  
この発明は、上記一形態の構成のみに限定されるものではなく、その他の様々な形態を採用し得る。
【図面の簡単な説明】
【００４３】
【図１】吊下げ金具の斜視図。
【図２】吊下げ金具の分解斜視図。
【図３】吊下げ金具の断面図。
【図４】吊下げ金具の形状を説明する形状説明図。
【図５】作用状態を示す側面図。
【図６】他の例に係る吊下げ金具の形状説明図。
【図７】他の例に係る規制部材の斜視図。
【図８】先行技術の説明図。
【符号の説明】
【００４４】
１１…吊下げ金具
１２…紐状体
１３ａ…分割部
１６…筒状部材
１７…上下動部材
１８…コイルばね
１９…下端蓋部材
４２…環状部
４４…フック部
５２…環状部
５４…規制部
５４ａ…垂下部
５６…間隙部
６１…板ばね部
６２…歯部
【図１】
2006218160.tif 000003
【図２】
2006218160.tif 000004
【図３】
2006218160.tif 000005
【図４】
2006218160.tif 000006
【図５】
2006218160.tif 000007
【図６】
2006218160.tif 000008
【図７】
2006218160.tif 000009
【図８】
2006218160.tif 000010